(57)【特許請求の範囲】
【請求項１】
天井から垂下するとともに下端部に照明器具が設けられた吊下げコードの長さ方向中間領域に取外し可能に取り付けられる照明器具用吊下げコード長さ調整具であって、
一方向に延びるとともに、吊下げコードに沿って配置される芯体を備え、
前記芯体には、吊下げコードの長さ方向中間領域における互いに離間した任意の２箇所を該両箇所間の距離を短縮した状態に係止保持する係止部が設けられるとともに、
前記芯体の周面には、前記係止部に係止される吊下げコードの前記両箇所の間の余り部を二つに折り曲げた状態にして芯体の長さ方向に沿うように保持する第１保持部が、芯体の長さ方向に沿って設けられており、
さらに、前記芯体の周面には、前記第１保持部に保持されるとともに芯体の長さ方向の端位置から前記第１保持部の反対側に折り返された余り部を、前記芯体の長さ方向に沿うように保持する第２保持部が、芯体の長さ方向に沿って設けられていることを特徴とする照明器具用吊下げコード長さ調整具。
【請求項２】
前記係止部は、前記芯体の長さ方向中間部よりも一端側に設けられ、
前記第１保持部は、前記芯体の係止部よりも他端側に設けられている請求項１記載の照明器具用吊下げコード長さ調整具。
【請求項３】
前記芯体の係止部に係止される吊下げコードの前記両箇所のうち、上側に位置する箇所を上被係止箇所とし、下側に位置する箇所を下被係止箇所とするとき、
前記芯体の周面には、吊下げコードの前記上被係止箇所よりも上側のコード部を前記係止部から芯体の上端に向かって芯体の長さ方向に沿うように保持する第３保持部と、吊下げコードの前記下被係止箇所よりも下側のコード部を前記係止部から芯体の下端に向かって芯体の長さ方向に沿うように保持する第４保持部と、のうち少なくとも一方が設けられている請求項１又は２記載の照明器具用吊下げコード長さ調整具。
【請求項４】
前記芯体の係止部に吊下げコードの前記両箇所が係止され且つ前記第１保持部に前記余り部が保持された状態のままで、前記芯体を収容する筒状カバー体を備えている請求項１〜３のいずれかに記載の照明器具用吊下げコード長さ調整具。
【発明の詳細な説明】
【技術分野】
【０００１】
本発明は、天井から照明器具を吊り下げる吊下げコードの長さを調整するために用いられる照明器具用吊下げコード長さ調整具に関する。
【背景技術】
【０００２】
天井から吊り下げて使用するペンダントライト等の吊下げ型照明器具は、一般に、天井から垂下した給電コードからなる吊下げコードの下端部に取り付けられている。この照明器具では、例えば、天井に固定状態に設けられた引掛けシーリングに、吊下げコードの上端に設けられたプラグを接続することにより、照明器具が吊下げコードを介して吊り下げられる。この照明器具においてその高さ位置の変更は、吊下げコードの長さを調整することにより行われている。
【０００３】
吊下げコードの長さを調整するための調整具として、例えば、吊下げコードの上端のプラグに巻き芯体を固定状態に取り付け、この巻き芯体にその周方向に吊下げコードの上端部を巻き付けることにより、吊下げコードの長さを調整するようにしたものが知られている（例えば、特許文献１参照）。しかしながら、この調整具では、巻き芯体はプラグに直接、取り付けられて使用されるものであるため、プラグの形状に応じた専用の巻き芯体を必要とし、汎用性に欠けていた。
【０００４】
そこで、吊下げコードに対して広く適用可能な調整具として、天井から垂下した吊下げコードの長さ方向中間領域に取外し可能に取り付けて吊下げコードの長さを調整する調整具が幾つか知られている（例えば、特許文献２及び３参照）。その代表的な調整具の構成について図１２を参照して以下に説明する。
【０００５】
図１２において、１２０は、天井１３０から垂下した給電コードからなる吊下げコードである。この吊下げコード１２０の上端には、天井１３０に固定状態に設けられた引掛けシーリング１３１に対応するプラグ１３２が設けられる一方、この吊下げコード１２０の下端部には吊下げ型照明器具（灯具）１３３が設けられている。そして、この吊下げコード１２０における上端部や下端部ではなく長さ方向中間領域に、吊下げコード１２０の長さを調整する調整具１０１が取外し可能に取り付けられている。
【０００６】
この調整具１０１では、その巻き芯体１０２の上端部に形成された上係止部１０３Ｕに吊下げコード１２０の長さ方向中間領域の任意の一箇所１０２Ｕを係止し、次いで、吊下げコード１２０を巻き芯体１０２にその周方向にコイル状に巻き付けたのち、吊下げコード１２０の長さ方向中間領域の任意の他の箇所１０２Ｌを巻き芯体１０２の下端部に形成された下係止部１０３Ｌに係止保持することにより、吊下げコード１２０の長さ調整が行われる。そして、巻き芯体１０２を筒状カバー体１１０で覆うことにより、外観体裁が高められている。
【特許文献１】特開２００３−３３８２１６号公報
【特許文献２】特開平８−１２９９０５号公報
【特許文献３】特開２００１−２３６８１５号公報
【発明の開示】
【発明が解決しようとする課題】
【０００７】
しかしながら、同図に示した調整具１０１には、次のような幾つかの難点があった。
【０００８】
すなわち、この調整具１０１では、吊下げコード１２０の巻き芯体１０２への巻付け作業が完了した後で、照明器具１３３が所望する高さに配置されているかどうか確認する必要がある。そのため、もし吊下げコード１２０の巻付け作業が完了した後で照明器具１３３の高さが低いと確認された場合には、再度、吊下げコード１２０の巻付け作業を開始しなけばならないし、一方、もし照明器具１３３の高さが高いと確認された場合には、せっかく巻き芯体１０２に吊下げコード１２０を巻き付けたのにこれを巻き戻さなければならない。このような吊下げコード１２０の巻付け作業と巻戻し作業を繰り返し行うことで、吊下げコード１２０の長さが所望する長さに調整される（即ち、照明器具１３３が所望する高さに調整される）ため、調整作業がとても面倒であった。
【０００９】
さらに、吊下げコード１２０の巻き芯体１０２への巻き数が５回とか６回等の整数値に制限されるので、照明器具１３３の高さ調整を細かく行うことができなかった。
【００１０】
しかも、吊下げコード１２０の一端側（例えば上端側）から他端側（例えば下端側）に向かって吊下げコード１２０を巻き芯体１０２に巻き付けていくことで、吊下げコード１２０の長さが調整されるので、長さ調整後における巻き芯体１２０（調整具１０１）の吊下げコード１２０への取付け高さ位置を所望する高さ位置に設定するのが非常に困難であった。
【００１１】
本発明は、上述した技術背景に鑑みてなされたもので、その目的は、天井から垂下するとともに下端部に照明器具が設けられた吊下げコードの長さ方向中間領域に取外し可能に取り付けられる照明器具用吊下げコード長さ調整具であって、吊下げコードの長さ調整を容易に行うことができ、更に照明器具の高さ調整を細かく行うことができ、しかも、調整具の吊下げコードへの取付け高さ位置を所望する高さ位置に容易に設定することできる照明器具用吊下げコード長さ調整具を提供することにある。
【課題を解決するための手段】
【００１２】
本発明は以下の手段を提供する。
【００１３】
［１］  天井から垂下するとともに下端部に照明器具が設けられた吊下げコードの長さ方向中間領域に取外し可能に取り付けられる照明器具用吊下げコード長さ調整具であって、
一方向に延びるとともに、吊下げコードに沿って配置される芯体を備え、
前記芯体には、吊下げコードの長さ方向中間領域における互いに離間した任意の２箇所を該両箇所間の距離を短縮した状態に係止保持する係止部が設けられるとともに、
前記芯体の周面には、前記係止部に係止される吊下げコードの前記両箇所の間の余り部を二つに折り曲げた状態にして芯体の長さ方向に沿うように保持する第１保持部が、芯体の長さ方向に沿って設けられていることを特徴とする照明器具用吊下げコード長さ調整具。
【００１４】
［２］  前記芯体の周面には、前記第１保持部に保持されるとともに芯体の長さ方向の端位置から前記第１保持部の反対側に折り返された余り部を、前記芯体の長さ方向に沿うように保持する第２保持部が、芯体の長さ方向に沿って設けられている前項１記載の照明器具用吊下げコード長さ調整具。
【００１５】
［３］  前記係止部は、前記芯体の長さ方向中間部よりも一端側に設けられ、
前記第１保持部は、前記芯体の係止部よりも他端側に設けられている前項１又は２記載の照明器具用吊下げコード長さ調整具。
【００１６】
［４］  前記芯体の係止部に係止される吊下げコードの前記両箇所のうち、上側に位置する箇所を上被係止箇所とし、下側に位置する箇所を下被係止箇所とするとき、
前記芯体の周面には、吊下げコードの前記上被係止箇所よりも上側のコード部を前記係止部から芯体の上端に向かって芯体の長さ方向に沿うように保持する第３保持部と、吊下げコードの前記下被係止箇所よりも下側のコード部を前記係止部から芯体の下端に向かって芯体の長さ方向に沿うように保持する第４保持部と、のうち少なくとも一方が設けられている前項１〜３のいずれかに記載の照明器具用吊下げコード長さ調整具。
【００１７】
［５］  前記芯体の係止部に吊下げコードの前記両箇所が係止され且つ前記第１保持部に前記余り部が保持された状態のままで、前記芯体を収容する筒状カバー体を備えている前項１〜４のいずれかに記載の照明器具用吊下げコード長さ調整具。
【発明の効果】
【００１８】
本発明は以下の効果を奏する。
【００１９】
［１］の発明に係る照明器具用吊下げコード長さ調整具によれば、照明器具が所望する高さに配置されるように吊下げコードの長さ方向中間領域における互いに離間した任意の２箇所を接近させて該両箇所間の距離を短縮し、次いで、該両箇所を芯体の係止部に係止することにより、両箇所間の距離が短縮状態に保持されて照明器具が所望する高さに配置される。そのため、必ずしも従来のように吊下げコードを巻き付け、長さ調整後に照明器具が所望する高さに配置されているかどうか確認する必要がなく、吊下げコードの長さ調整を容易に行うことができる。
【００２０】
さらに、この調整具によれば、芯体の係止部に係止する吊下げコードの２つの箇所は、照明器具の高さに応じて任意に選択可能であるから、照明器具の高さ調整を細かく行うことができるし、更に、調整具（芯体）の吊下げコードへの取付け高さ位置を所望する高さ位置に容易に設定することができる。
【００２１】
その上、芯体の係止部に係止される吊下げコードの両箇所の間の余り部を二つに折り曲げ状態にして、芯体の長さ方向に沿うように芯体の第１保持部に保持することにより、余り部を芯体にその周方向に巻き付けて保持するものと比べて、余り部を保持した状態での芯体の全体直径を小さくすることができ、これにより調整具のスリム化を図ることができる。
【００２２】
さらに、第１保持部は、芯体の長さ方向に沿って設けられているので、様々な長さの余り部をこの第１保持部で保持することができる。
【００２３】
［２］の発明では、芯体の周面には、第１保持部に保持されるとともに芯体の長さ方向の端位置から第１保持部の反対側に折り返された余り部を、芯体の長さ方向に沿うように保持する第２保持部が芯体の長さ方向に沿って設けられている。そのため、吊下げコードの余り部の長さが比較的長い場合であっても、当該余り部を芯体の長さ方向に沿うように第１保持部と第２保持部とで保持することができる。
【００２４】
さらに、第２保持部は、芯体の長さ方向に沿って設けられているので、様々な長さの余り部を第２保持部で保持することができる。
【００２５】
［３］の発明では、芯体の係止部は、芯体の長さ方向中間部よりも一端側に設けられる一方、第１保持部は、芯体の係止部よりも他端側に設けられている。そのため、第１保持部で保持可能な余り部の長さを、芯体の係止部が芯体の長さ方向中間部に設けられているものと比べて、長くすることができる。
【００２６】
［４］の発明では、芯体の第３保持部と第４保持部のうち少なくもと一方で、吊下げコードの対応するコード部を芯体の長さ方向に沿うように保持することができる。これにより、芯体を吊下げコードに沿って確実に配置することができるし、更に、吊下げコードの上被係止箇所の係止部への係止状態や下被係止箇所の係止部への係止状態をしっかりと保持することができる。
【００２７】
［５］の発明では、外観体裁をより一層向上させることができる。
【発明を実施するための最良の形態】
【００２８】
次に、本発明の一実施形態について図面を参照して以下に説明する。
【００２９】
図１〜１１は、本発明の一実施形態に係る照明器具用吊下げコード長さ調整具を説明するための図である。
【００３０】
図１において、１は本実施形態に係る調整具であり、２０は吊下げコードである。吊下げコード２０は、照明器具３３への給電コードからなるフレキシブルなものであって、天井３０に固定状態に設けられた引掛けシーリング３１を介して天井３０から垂下している。この吊下げコード２０の下端部には吊下げ型照明器具（灯具）が取り付けられている。一方、この吊下げコード２０の上端には、天井３０の引掛けシーリング３１に対応するプラグ３２が設けられている。そして、このプラグ３２が引掛けシーシング３１に接続されることにより、照明器具３３が吊下げコード２０を介して所定の高さ位置に吊下げ保持されている。
【００３１】
本実施形態の調整具１は、吊下げコード２０の長さを調整することで照明器具３３を所望する高さに配置させるために用いられるものであり、吊下げコード２０の上端部や下端部ではなく長さ方向中間領域に取外し可能に取り付けられている。
【００３２】
図２〜５に示すように、この調整具１は、プラスチック製の芯体２と、プラスチック製の円筒状カバー体１０とを備えている。
【００３３】
芯体２は、一方向に延びた棒状のものであって、吊下げコード２０に沿って配置されるものである。芯体２の断面形状は略Ｕ字状である。芯体２の長さは特に限定されるものではないが、例えば１００〜２００ｍｍであることが望ましい。
【００３４】
図６、８及び１０に示すように、芯体２の長さ方向中間部よりも上端側（一端側）の部分には、吊下げコード２０の長さ方向中間領域における互いに離間した任意の２箇所２０Ｕ、２０Ｌを該両箇所間の距離を短縮した状態に係止保持する係止部３が設けられている。
【００３５】
ここで説明の便宜上、芯体２の係止部３に係止される吊下げコード２０の両箇所２０Ｕ、２０Ｌのうち、上側に位置する箇所を「上被係止箇所２０Ｕ」といい、下側に位置する箇所を「下被係止箇所２０Ｌ」という。
【００３６】
芯体２の係止部３は、吊下げコード２０の上被係止箇所２０Ｕと下被係止箇所２０Ｌとをそれぞれ係脱可能に差込み係止する上係止凹部３Ｕと下係止凹部３Ｌとからなる。上下両係止凹部３Ｕ、３Ｌは、互いに隔壁部４を介して隣接配置されている。各係止凹部３Ｕ、３Ｌは、芯体２の周壁部がその一側縁部からＵ字状に切り欠かれて形成されたものである。
【００３７】
また、芯体２の周面の上係止凹部３Ｕよりも上側の部分には、上係止凹部３Ｕに係止された吊下げコード２０の上被係止箇所２０Ｕよりも上側近傍のコード部２２を上係止凹部３Ｕから芯体２の上端に向かって芯体２の長さ方向に沿うように着脱可能に保持する断面Ｕ字状の上保持溝部７（第３保持部）が、上係止凹部３Ｕから芯体２の上端に向かって芯体２の中心軸に沿って形成されている。さらに、芯体２の上端面に上保持溝部７の上端開口が形成されている。
【００３８】
また、芯体２の周面の下係止凹部３Ｌよりも下側の部分には、下係止凹部３Ｌに係止された吊下げコード２０の下被係止箇所２０Ｌよりも下側近傍のコード部２３を下係止凹部３Ｌから芯体２の下端に向かって芯体２の長さ方向に沿うように着脱可能に保持する断面Ｕ字状の下保持溝部８（第４保持部）が、下係止凹部３Ｌから芯体２の下端に向かって芯体２の中心軸に沿って形成されている。さらに、芯体２の下端面に下保持溝部８の下端開口が形成されている。
【００３９】
芯体２の係止部３（即ち上下両係止凹部３Ｕ、３Ｌ）よりも下端側の部分は、芯体２の係止部３及びその上側の部分よりも径大に形成されており、この部分を「径大部２ａ」という。
【００４０】
さらに、図４、６、９〜１１に示すように、芯体２の係止部３よりも下側の径大部２ａの周面における周方向の一部には、係止部３（即ち上下両係止凹部３Ｕ、３Ｌ）に係止された吊下げコード２０の上下両被係止箇所２０Ｕ、２０Ｌ間のループ状の余り部２１を二つに折り曲げた状態にして（図１０及び１１参照）、芯体２の長さ方向に沿うように着脱自在に保持する第１保持溝部５（第１保持部）が、芯体２の長さ方向に沿って形成されている。さらに、芯体２の下端面に第１保持溝部５の下端開口が形成されている。
【００４１】
本実施形態では、この第１保持溝部５は、吊下げコード２０の二つに折り曲げられた状態の余り部２１を、該余り部２１における互いに平行に配置された左右一対の平行コード部２１ａ、２１ａを一つにをまとめた状態にして、芯体２の下端に向かって芯体２の長さ方向に沿うように着脱自在に保持するように構成されている。この第１保持溝部５の構成について詳述すると、図３及び９に示すように、第１保持溝部５の開口部の幅方向両側縁部には、第１保持溝部５内に嵌め込まれた余り部２１の両平行コード部２１ａ、２１ａが第１保持溝部５内から不慮に飛び出さないように両平行コード部２１ａ、２１ａをそれぞれ押さえ止める左右一対の押さえ爪部５ａ、５ａが、第１保持溝部５の開口部の幅方向中間部に向かって僅かに突出して芯体２の長さ方向に沿って一体形成されている。
【００４２】
さらに、図５、６、９〜１１に示すように、芯体２の係止部３よりも下側の径大部２ａの周面における第１保持溝部５とは反対側の部分には、第１保持溝部５に保持されるとともに芯体２の下端位置から第１保持溝部５の反対側に折り返された余り部２１（詳述すると余り部２１の折り返し部２１Ｘ）を、芯体２の長さ方向に沿うように着脱自在に保持する第２保持溝部６（第２保持部）が、芯体２の長さ方向に沿って形成されている。
【００４３】
本実施形態では、この第２保持溝部６は、第１保持溝部５と同様の構成である。すなわち、この第２保持溝部６は、芯体２の下端位置から折り返された余り部２１の折り返し部２１Ｘを、その両平行コード部２１ａ、２１ａを一つにをまとめた状態にして、芯体２の上端に向かって芯体２の長さ方向に沿うように着脱自在に保持するように構成されている。この第２保持溝部６の構成について詳述すると、図３及び９に示すように、第２保持溝部６の開口部の幅方向両側縁部には、第２保持溝部６内に嵌め込まれた余り部２１の折り返し部２１Ｘの両平行コード部２１ａ、２１ａが第２保持溝部６内から不慮に飛び出さないように両平行コード部２１ａ、２１ａをそれぞれ押さえ止める左右一対の押さえ爪部６ａ、６ａが、第２保持溝部６の開口部の幅方向中間部に向かって僅かに突出して芯体２の長さ方向に沿って一体形成されている。
【００４４】
カバー体１０は、図２〜５に示すように、芯体２の係止部３（上下両係止凹部３Ｕ、３Ｌ）に吊下げコード２０の上下両被係止箇所２０Ｕ、２０Ｌが係止され且つ第１保持溝部５及び第２保持溝部６にそれぞれ余り部２１及びその折り返し部２１Ｘが保持され、更に上保持溝部７及び下保持溝部８にそれぞれ吊下げコード２０の所定のコード部２２、２３が保持された状態のままで、芯体２を収容するものである。
【００４５】
このカバー体１０は、一方向に延びた円筒状に形成されるとともに、吊下げコード２０に沿って配置されるものである。カバー体１０の円形状の上壁部及び下壁部の中央部には、それぞれ、吊下げコード２０を遊挿する断面円形状の吊下げコード挿通孔１１が設けられている。この吊下げコード挿通孔１１の直径は、吊下げコード２０の直径よりも若干大きく設定されている。
【００４６】
さらに、このカバー体１０は、縦に二分割されて構成されたものであり、各分割片１０ａ、１０ａには、両分割片１０ａ、１０ａを互いに円筒状に分離可能に組み付け保持する複数個の係止爪部１２ａ及び係止溝部１２ｂが設けられている。また、各分割片１０ａの半円形状の上壁半部及び下壁半部には、ぞれぞれ、吊下げコード挿通孔１１が二分割されてなる断面半円状の吊下げコード挿通溝部１１ａが形成されている。
【００４７】
次に、本実施形態の調整具１を用いて吊下げコード２０の長さを調整する方法について以下に説明する。
【００４８】
まず、図１０に示すように、天井３０から引掛けシリング３１を介して垂下した吊下げコード２０の下端部に設けられた照明器具３３が所望する高さに配置されるように、吊下げコード２０の長さ方向中間領域における互いに離間した任意に選択した２箇所２０Ｕ、２０Ｌを接近させて該両箇所２０Ｕ、２０Ｌ間の距離を短縮し、次いでこの状態で、該両箇所２０Ｕ、２０Ｌをそれぞれ芯体２の上係止凹部３Ｕ及び下係止凹部３Ｌに係止する。これにより、吊下げコード２０の上下両被係止箇所２０Ｕ、２０Ｌ間の距離が短縮状態に保持されて照明器具３３が所望する高さに配置される。このとき、吊下げコード２０の上下両被係止箇所２０Ｕ、２０Ｌ間の余り部２１は、芯体２の側方に突出したループ状となる。
【００４９】
また、吊下げコード２０の上下両被係止箇所２０Ｕ、２０Ｌをそれぞれ芯体２の上下両係止凹部３Ｕ、３Ｌに係止するのと同時に、吊下げコード２０の上被係止箇所２０Ｕよりも上側近傍のコード部２２を芯体２の上保持溝部７内にきつく嵌め込むことにより、当該上側コード部２２を上係止凹部３Ｕから芯体２の上端に向かって芯体２の長さ方向に沿うように保持するとともに、上側コード部２２を芯体２の上端面に形成された上保持溝部７の上端開口から上方へ突出させる。これと同じく、吊下げコード２０の下被係止箇所２０Ｌよりも下側近傍のコード部２３を芯体２の下保持溝部８内にきつく嵌め込むことにより、当該下側コード部２３を下係止凹部３Ｌから芯体２の下端に向かって芯体２の長さ方向に沿うように保持するとともに、下側コード部２３を芯体２の下端面に形成された下保持溝部８の下端開口から下方へ突出させる。
【００５０】
次いで、同図に示すように、吊下げコード２０の上下両被係止箇所２０Ｕ、２０Ｌ間のループ状の余り部２１を二つに折り曲げることにより、該余り部２１を構成する一対の直線状コード部２１ａ、２１ａを互いに平行に対向配置させる。そして、このように余り部２１を二つに折り曲げた状態のままで該余り部２１を芯体２の径大部２ａの周面側から第１保持溝部５内にきつく嵌め込むことにより、図１１に示すように、余り部２１を芯体２の長さ方向に沿うように保持する。この保持状態において、同図に示すように、もし余り部２１が第１保持溝部５の全長よりも長くて第１保持溝部５の下端開口から下方へ突出する場合には、余り部２１の突出部（折り返し部２１Ｘ）を芯体２の下端位置から第１保持溝部５の反対側、即ち第２保持溝部６側へ折り返す。そして、余り部２１の折り返された折り返し部２１Ｘを、芯体２の周面側から第２保持溝部６内にきつく嵌め込むことにより、図５に示すように、余り部２１の折り返し部２１Ｘを芯体２の長さ方向に沿うように保持する。
【００５１】
図３に示すように、吊下げコード２０の余り部２１が第１保持溝部５内に保持された状態では、余り部２１における一対の平行コード部２１ａ、２１ａは、それぞれ、第１保持溝部５の一対の押さえ爪部５ａ、５ａにより第１保持溝部５内から不慮に飛び出さないように押さえ止められている。また同じく、吊下げコード２０の余り部２１の折り返し部２１Ｘが第２保持溝部６内に保持された状態では、余り部２１の折り返し部２１Ｘにおける一対の平行コード部２１ａ、２１ａは、それぞれ、第２保持溝部６の一対の押さえ爪部６ａ、６ａにより第２保持溝部６内から不慮に飛び出さないように押さえ止められている。
【００５２】
次いで、図４及び５に示すように、カバー体１０の両分割片１０ａ、１０ａの間に芯体２を配置して該両分割片１０ａ、１０ａを円筒状に組み付けることにより、カバー体１０の内部に芯体２を配置し、これにより芯体２が外部から見えないようにカバー体１０で芯体２を覆う。なおこの状態では、図２に示すように、吊下げコード２０は、カバー体１０の上壁部の吊下げコード挿通孔１１と下壁部の吊下げコード挿通孔１１とに遊挿状態に挿通されている。
【００５３】
一方、このように吊下げコード２０の長さが調整具１により所望する長さに調整された状態から、吊下げコード２０の長さを元の長さに戻す場合には、上述した手順を逆に行い、芯体２を吊下げコード２０から取り外せば良い。
【００５４】
而して、本実施形態の調整具１には次の利点がある。
【００５５】
この調整具１によれば、照明器具３３が所望する高さに配置されるように吊下げコード２０の長さ方向中間領域における互いに離間した任意の２箇所２０Ｕ、２０Ｌを接近させて両箇所２０Ｕ、２０Ｌ間の距離を短縮し、次いで、該両箇所２０Ｕ、２０Ｌをそれぞれ芯体２の上下両係止凹部３Ｕ、３Ｌに係止することにより、両箇所２０Ｕ、２０Ｌ間の距離が短縮状態に保持されて照明器具３３が所望する高さに配置される。そのため、必ずしも従来のように吊下げコード２０の長さ調整後に照明器具３３が所望する高さに配置されているかどうか確認する必要がなく、吊下げコード２０の長さ調整（即ち照明器具３３の高さ調整）を容易に行うことができる。
【００５６】
さらに、芯体２の上下両係止凹部３Ｕ、３Ｌに係止する吊下げコード２０の２つの箇所２０Ｕ、２０Ｌは、照明器具３０の高さに応じて任意に選択可能であるから、照明器具３３の高さ調整を細かく行うことができるし、更に、調整具１（芯体２）の吊下げコード２０への取付け高さ位置を所望する高さ位置に容易に設定することができる。
【００５７】
その上、芯体２の上下両係止凹部３Ｕ、３Ｌに係止された吊下げコード２０の上下両被係止箇所２０Ｕ、２０Ｌ間の余り部２１を二つに折り曲げ状態にして、芯体２の長さ方向に沿うように芯体２の第１保持溝部５に保持することにより、外観体裁が良くなることがもとより、更に、余り部２１を芯体２にその周方向に巻き付けて保持するものと比べて、余り部２１を保持した状態での芯体２の全体直径を小さくすることができ、これにより調整具１のスリム化を図ることができる。
【００５８】
さらに、第１保持溝部５は、芯体２の長さ方向に沿って設けられているので、様々な長さの余り部２１をこの第１保持溝部５で保持することができる。
【００５９】
また、芯体２の周面には、第１保持溝部５に保持されるとともに芯体２の下端位置から第１保持溝部５の反対側に折り返された余り部２１（詳述すると余り部２１の折り返し部２１Ｘ）を、芯体２の長さ方向に沿うように保持する第２保持溝部６が芯体２の長さ方向に沿って設けられている。そのため、吊下げコード２０の余り部２１の長さが比較的長い場合であっても、当該余り部２１を芯体２の長さ方向に沿うように第１保持溝部５と第２保持溝部６とで保持することができる。
【００６０】
さらに、第２保持溝部６は、芯体２の長さ方向に沿って設けられているので、様々な長さの余り部２１をこの第２保持溝部６で保持することができる。
【００６１】
また、芯体２の上下両係止凹部３Ｕ、３Ｌは、ともに、芯体２の長さ方向中間部よりも一端側（上端側）に設けられる一方、第１保持溝部５は、芯体２の上下両係止凹部３Ｕ、３Ｌよりも他端側（下端側）に設けられている。そのため、第１保持溝部５で保持可能な余り部２１の長さを、芯体２の上下両係止凹部３Ｕ、３Ｌが芯体２の長さ方向中間部に設けられているものと比べて、長くすることができる。
【００６２】
また、芯体２の周面には、吊下げコード２０の上被係止箇所２０Ｕよりも上側近傍のコード部２２を上係止凹部３Ｕから芯体２の上端に向かって芯体２の長さ方向に沿うように保持する上保持溝部７と、吊下げコード２０の下被係止箇所２０Ｌよりも下側近傍のコード部２３を下係止凹部３Ｌから芯体２の下端に向かって芯体２の長さ方向に沿うように保持する下保持溝部８とが設けられている。したがって、芯体２の上保持溝部７と下保持溝部８とで、吊下げコード２０の対応するコード部２２、２３を芯体２の長さ方向に沿うように保持することができる。これにより、芯体２を吊下げコード２０に沿って確実に配置することができるし、更に、吊下げコード２０の上被係止箇所２０Ｕの上係止凹部３Ｕへの係止状態と下被係止箇所２０Ｌの下係止凹部３Ｌへの係止状態とをしっかりと保持することができる。
【００６３】
さらに、この調整具１は、芯体２を収容する円筒状カバー体１０を備えているので、外観体裁をより一層向上させることができる。
【００６４】
以上で、本発明の一実施形態に係る調整具を説明したが、本発明は、上記実施形態に限定されるものではなく、様々に変更可能である。
【００６５】
例えば本発明では、上記実施形態の調整具１の芯体２を上下逆にして使用しても良い。
【００６６】
また本発明では、芯体２は、上保持溝部７（第３保持部）と下保持溝部８（第４保持部）とのうちいずれか一方だけを備えていても良いし、本実施形態のように両方を備えていても良い。
【００６７】
また本発明では、芯体２の周面には、吊下げコード２０の余り部２１を保持する保持溝部５、６（保持部）の個数は、２個であることに限定されるものではなく、その他に、１個であっても良いし、３個以上であっても良い。
【００６８】
また本発明では、調整具１が取り付けられる吊下げコード２０は、本実施形態のように天井３０に設けられた引掛けシーリング３１を介して天井３０から垂下したものであることに限定されるものではなく、その他に、例えば、天井３０に設けられたローゼットを介して天井３０から垂下したものであっても良いし、天井３０に設けられたダクトレールを介して天井３０から垂下したものであっても良いし、天井３０に固定された環状フランジ体の中心部に設けられた吊下げコード挿通孔に天井３０の上側から下側へ吊下げコード２０が挿通されることで、吊下げコード２０が天井３０から垂下したものであっても良い。
【産業上の利用可能性】
【００６９】
本発明は、天井から照明器具を吊り下げる吊下げコードの長さを調整するために用いられる照明器具用吊下げコード長さ調整具に利用可能である。
【図面の簡単な説明】
【００７０】
【図１】図１は、本発明の一実施形態に係る照明器具用吊下げコード長さ調整具を吊下げコードに取り付けた状態で示す正面図である。
【図２】図２は、同調整具の斜視図である。
【図３】図３は、図２中のＸ−Ｘ線断面図である。
【図４】図４は、同調整具の分解斜視図である。
【図５】図５は、同調整具における図４とは別の方向から見た分解斜視図である。
【図６】図６は、同調整具の芯体の斜視図である。
【図７】図７は、同芯体における図６とは別の方向から見た斜視図である。
【図８】図８は、同芯体における図６とは更に別の方向から見た斜視図である。
【図９】図９は、図６中のＸ−Ｘ断面図である。
【図１０】図１０は、同芯体の係止部に吊下げコードの２箇所を係止した状態の斜視図である。
【図１１】図１１は、同芯体の第１保持溝部（第１保持部）に保持された吊下げコードの余り部を芯体の下端位置から折り返す途中の状態を示す斜視図である。
【図１２】図１２は、従来の照明器具用吊下げコード長さ調整具を吊下げコードに取り付けた状態で示す断面図である。
【符号の説明】
【００７１】
１：調整具
２：芯体
３：係止部
３Ｕ：上係止凹部
３Ｌ：下係止凹部
５：第１保持溝部（第１保持部）
６：第２保持溝部（第２保持部）
７：上保持溝部（第３保持部）
８：下保持溝部（第４保持部）
１０：カバー体
２０：吊下げコード
２０Ｕ：上被係止箇所
２０Ｌ：下被係止箇所
２１：余り部
２１Ｘ：余り部の折り返し部
２２：上側コード部
２３：下側コード部
３０：天井
３３：照明器具
【図１】
0005001212.tif 000002
【図２】
0005001212.tif 000003
【図３】
0005001212.tif 000004
【図４】
0005001212.tif 000005
【図５】
0005001212.tif 000006
【図６】
0005001212.tif 000007
【図７】
0005001212.tif 000008
【図８】
0005001212.tif 000009
【図９】
0005001212.tif 000010
【図１０】
0005001212.tif 000011
【図１１】
0005001212.tif 000012
【図１２】
0005001212.tif 000013